(57)【特許請求の範囲】
【請求項１】
少なくとも施工された状態で露出する見付面及び見込面が、表面仕上シートの貼着が可能なように易貼着性の下地面とされた上枠材と、
前記上枠材の長手方向両端部のそれぞれに接合され、少なくとも施工された状態で露出する見付面及び見込面が、表面仕上シートの貼着が可能なように易貼着性の下地面とされた両側の縦枠材と、
全長に亘ってガイド溝が設けられ、前記上枠材に取り付けられるレール部材と、
前記レール部材のガイド溝の長手方向両側の開口をそれぞれに閉塞するように前記レール部材に取り付けられるキャップ部材と、
を備えていることを特徴とする戸枠装置。
【請求項２】
請求項１において、
前記キャップ部材は、前記ガイド溝の前記開口を閉塞するキャップ本体の周縁部に前記レール部材の長手方向端面に当接される当接部を設けた構成とされ、かつ該キャップ本体に、レール長手方向に沿って突出するように前記ガイド溝に嵌め入れられる突出部を設けた構成とされていることを特徴とする戸枠装置。
【請求項３】
請求項２において、
前記レール部材は、下向きに開口するように前記ガイド溝が設けられ、前記上枠材に設けられた凹溝に取り付けられる構成とされ、かつ、当該レール部材の幅方向両側の下側部位に、幅方向外方側に向けて突出し前記上枠材の前記凹溝の両開口縁に当接される突段部が形成されるように、前記ガイド溝の両内側壁の下側部位に凹段部を設けた構成とされており、
前記キャップ部材の突出部は、少なくとも前記ガイド溝の両内側壁に沿うように設けられていることを特徴とする戸枠装置。
【請求項４】
請求項１乃至３のいずれか１項に記載の戸枠装置のキャップ部材。
【請求項５】
少なくとも施工された状態で露出する見付面及び見込面が、表面仕上シートの貼着が可能なように易貼着性の下地面とされた上枠材と、少なくとも施工された状態で露出する見付面及び見込面が、表面仕上シートの貼着が可能なように易貼着性の下地面とされた両側の縦枠材と、を枠下地に固定し、ガイド溝の長手方向両側の開口がキャップ部材によってそれぞれに閉塞されたレール部材を前記上枠材に取り付け、前記上枠材及び前記両側の縦枠材の下地面に表面仕上シートを貼着することを特徴とする戸枠装置の施工方法。
【発明の詳細な説明】
【技術分野】
【０００１】
本発明は、戸枠装置、これのキャップ部材及び戸枠装置の施工方法に関する。
【背景技術】
【０００２】
従来より、表面に樹脂シート等の化粧シートが貼着された開口枠（戸枠）が知られている（例えば、下記特許文献１参照）。
【先行技術文献】
【特許文献】
【０００３】
【特許文献１】特開平８−１２８２８１号公報
【発明の概要】
【発明が解決しようとする課題】
【０００４】
しかしながら、上記のようなものでは、壁紙等の色柄の種類に比べて、一般的に色柄の種類が少なく、また、製造会社が壁紙等の他の内装材や内装設備等の製造会社と異なる場合等には、これらの表面意匠と色柄等を合わせ難くなるということも考えられる。また、発注後に表面の色柄等を変え難く、例えば、内装の仕上げ段階の際や部分リフォームの際等に、他の内装部位との調和性等を見たいような場合にも対応が困難であった。
【０００５】
本発明は、上記実情に鑑みてなされたものであり、表面意匠の選択自由度を向上させ得る戸枠装置、これのキャップ部材及び戸枠装置の施工方法を提供することを目的としている。
【課題を解決するための手段】
【０００６】
上記目的を達成するために、本発明に係る戸枠装置は、少なくとも施工された状態で露出する見付面及び見込面が、表面仕上シートの貼着が可能なように易貼着性の下地面とされた上枠材と、前記上枠材の長手方向両端部のそれぞれに接合され、少なくとも施工された状態で露出する見付面及び見込面が、表面仕上シートの貼着が可能なように易貼着性の下地面とされた両側の縦枠材と、全長に亘ってガイド溝が設けられ、前記上枠材に取り付けられるレール部材と、前記レール部材のガイド溝の長手方向両側の開口をそれぞれに閉塞するように前記レール部材に取り付けられるキャップ部材と、を備えていることを特徴とする。
【０００７】
また、本発明に係るキャップ部材は、本発明に係る戸枠装置のキャップ部材である。
【０００８】
また、本発明に係る戸枠装置の施工方法は、少なくとも施工された状態で露出する見付面及び見込面が、表面仕上シートの貼着が可能なように易貼着性の下地面とされた上枠材と、少なくとも施工された状態で露出する見付面及び見込面が、表面仕上シートの貼着が可能なように易貼着性の下地面とされた両側の縦枠材と、を枠下地に固定し、ガイド溝の長手方向両側の開口がキャップ部材によってそれぞれに閉塞されたレール部材を前記上枠材に取り付け、前記上枠材及び前記両側の縦枠材の下地面に表面仕上シートを貼着することを特徴とする。
【発明の効果】
【０００９】
本発明に係る戸枠装置、これのキャップ部材及び戸枠装置の施工方法は、上述のような構成としたことで、表面意匠の選択自由度を向上させることができる。
【図面の簡単な説明】
【００１０】
【図１】（ａ）、（ｂ）は、本発明の一実施形態に係る戸枠装置、これのキャップ部材及び戸枠装置の施工方法の一例を模式的に示し、図２（ａ）におけるＸ−Ｘ線矢視に対応させた一部破断概略縦断面図である。
【図２】（ａ）、（ｂ）は、図１（ａ）におけるＹ−Ｙ線矢視に対応させた一部破断概略横断面図である。
【図３】（ａ）は、同戸枠装置が備えるレール部材及びキャップ部材の一例を模式的に示す一部破断概略分解斜視図、（ｂ）は、（ａ）に対応させた一部破断概略斜視図、（ｃ）は、同レール部材及び同キャップ部材の一例を模式的に示す概略分解側面図である。
【図４】（ａ）、（ｂ）は、本発明の他の実施形態に係る戸枠装置及び戸枠装置の施工方法の一例を模式的に示し、図１（ａ）、（ｂ）に対応させた一部破断概略縦断面図である。
【図５】（ａ）は、同戸枠装置が備えるレール部材及びキャップ部材の一例を模式的に示す一部破断概略斜視図、（ｂ）は、同レール部材の一例を模式的に示す概略側面図である。
【発明を実施するための形態】
【００１１】
以下に本発明の実施の形態について、図面に基づいて説明する。
なお、一部の図では、他図に付している詳細な符号の一部を省略している。
また、図１、図２及び図４の断面図では、表面基材及び表面仕上シートの切断面の平行斜線（ハッチング）を省略している。
また、以下の各実施形態では、各実施形態に係る戸枠装置を施工した状態を基準として上下方向等の方向を説明する。
【００１２】
図１〜図３は、第１実施形態に係る戸枠装置、これのキャップ部材及び戸枠装置の施工方法の一例を模式的に示す図である。
本実施形態に係る戸枠装置１は、図１及び図２に示すように、少なくとも施工された状態で露出する見付面４５，４５及び見込面４６が、表面仕上シート７の貼着が可能なように易貼着性の下地面とされた上枠材４０を備えている。また、戸枠装置１は、上枠材４０の長手方向両端部のそれぞれに接合され、少なくとも施工された状態で露出する見付面１５，１５，２５及び見込面１６，２６が、表面仕上シート７，７の貼着が可能なように易貼着性の下地面とされた両側の縦枠材１０，２０を備えている。また、戸枠装置１は、全長に亘ってガイド溝５１が設けられ、上枠材４０に取り付けられるレール部材５０と、レール部材５０のガイド溝５１の長手方向両側の開口をそれぞれに閉塞するようにレール部材５０に取り付けられるキャップ部材６０，６０と、を備えている。
【００１３】
この戸枠装置１は、図１及び図２に示すように、住居等の建物内の壁体２に設けられた開口部に設置され、壁体２によって間仕切られた一方側空間と他方側空間とを連通させる出入口を区画する。また、この戸枠装置１に、出入口を開閉する建具８が建て付けられる。
また、この戸枠装置１が設置される開口部は、その天面が、上枠材４０が固定される上枠下地４とされ、また、その開口幅（間口）方向両側の内側面が、両側の縦枠材１０，２０が固定される縦枠下地３，３とされている。
本実施形態では、戸枠装置１を、建具としての一枚の引戸８が袖壁納めで建て付けられるものとし、両側の縦枠材１０，２０（戸先側縦枠材１０及び戸尻側縦枠材２０）間に配される中間縦枠材（中方立）３０を備えた構成としている。つまり、この中間縦枠材３０、戸先側縦枠材１０及び上枠材４０の間口方向戸先側部位によって引戸８に開閉される出入口が区画される。また、この中間縦枠材３０は、少なくとも施工された状態で露出する見付面３５，３５Ａ及び見込面３６が、表面仕上シート７の貼着が可能なように易貼着性の下地面とされている。この中間縦枠材３０は、開口部の間口方向戸尻側部位を覆うように壁厚方向一方側部位に設けられる袖壁５の縦枠下地６に固定される。
なお、戸枠装置１は、これら各枠材１０，２０，３０，４０に加えて、さらに建具（引戸）８の下端側をガイドする下枠材等を備えたものとしてもよく、下枠材を備えていない、いわゆる三方枠としてもよい。
【００１４】
表面仕上シート７は、各枠材１０，２０，３０，４０が工場出荷後に、例えば、住居等の建物等の施工現場や工務店等の施工現場外の貼着現場において、各枠材１０，２０，３０，４０の下地面に貼着される。この表面仕上シート７としては、薄シート状（フィルム状）とされたもので貼着現場において貼着可能なものであればどのようなものでもよく、例えば、合成樹脂製シートや突板等の化粧シートや、樹脂クロスや紙クロス、布クロス等の壁紙等としてもよい。また、表面仕上シート７は、各枠材１０，２０，３０，４０の下地面に接着剤等によって貼着されるものとしてもよく、裏面に粘着材及び剥離紙が設けられたものとしてもよい。
【００１５】
本実施形態では、図１及び図２に示すように、各枠材１０，２０，３０，４０を、固定枠としている。
戸先側縦枠材１０は、壁厚方向両端部が壁体２の両壁面から突出するように配され、壁厚方向両端面となる両見付面１５，１５及び間口方向中央側に向く見込面１６が下地面とされている。また、本実施形態では、この戸先側縦枠材１０の両壁面から突出するいわゆるちり部の間口方向外方側に向く両側のちり外側面１８，１８も表面仕上シート７の貼着が可能な易貼着性の下地面としている。また、図例では、この戸先側縦枠材１０の壁厚方向両端部の間口方向中央側の縁部をＣ面取り状の面取部とした例を示している。
【００１６】
戸尻側縦枠材２０は、その見込寸法（壁厚方向に沿う寸法）が袖壁５の壁厚に応じて戸先側縦枠材１０の見込寸法よりも小さい寸法とされている。
この戸尻側縦枠材２０は、壁厚方向反袖壁側の端部が壁体２の壁面から突出するように配される一方、壁厚方向袖壁側の端部が袖壁５に当接して配される。また、戸尻側縦枠材２０は、壁厚方向両端面となる両見付面２５，２５Ａ及び間口方向中央側に向く見込面２６が下地面とされている。また、本実施形態では、この戸尻側縦枠材２０の壁厚方向反袖壁側の壁面から突出するいわゆるちり部の間口方向外方側に向くちり外側面２８も表面仕上シート７の貼着が可能な易貼着性の下地面としている。また、図例では、この戸尻側縦枠材２０の壁厚方向反袖壁側の端部の間口方向中央側の縁部をＣ面取り状の面取部とした例を示している。なお、この戸尻側縦枠材２０の袖壁５に当接される壁厚方向袖壁側の見付面２５Ａを下地面としないようにしてもよい。
【００１７】
また、これら両側の縦枠材１０，２０の見込面１６，２６に、引戸８の戸幅方向の端部が納められる戸じゃくり溝１７，２７を全長に亘ってそれぞれに設けた構成としている。これら戸じゃくり溝１７，２７は、間口方向に見て互いに重なり合う位置となるように設けられている。図例では、戸じゃくり溝１７，２７の溝両側壁を間口方向中央側に向かうに従い拡開するような傾斜面とした例を示している。
これら両側の縦枠材１０，２０の下地面は、各戸じゃくり溝１７，２７及び上記した各面取部を含み、一連状の下地面とされている。
【００１８】
中間縦枠材３０は、図２に示すように、壁厚方向両端部が袖壁５の両壁面から突出するように配され、壁厚方向両端面となる両見付面３５，３５Ａ及び戸先側縦枠材１０側（出入口側）に向く見込面３６が下地面とされている。また、本実施形態では、この中間縦枠材３０の袖壁５の両壁面から突出するいわゆるちり部の袖壁５側に向く両側のちり外側面３８，３８も表面仕上シート７の貼着が可能な易貼着性の下地面としている。
また、この中間縦枠材３０の引戸８に対面する側の端部には、引戸８の袖壁５に対面する側の面に摺るように接する隙間遮蔽部材（モヘア部材）３９が取り付けられる取付溝３７が全長に亘って設けられている。この中間縦枠材３０の引戸８に対面する側の端部の見付面３５Ａは、この取付溝３７を除いた部位が下地面とされている。また、図例では、この中間縦枠材３０の反引戸対面側の端部の出入口側の縁部をＣ面取り状の面取部とした例を示している。
この中間縦枠材３０の下地面は、取付溝３７を除き、面取部を含んで一連状の下地面とされている。
【００１９】
上枠材４０は、間口方向（長手方向）戸尻側部位の見込寸法が袖壁５の壁厚に応じて間口方向戸先側部位の見込寸法よりも小さい寸法とされている。また、この上枠材４０の長手方向略中央部には、中間縦枠材３０の上端部が係合する切欠状の係合凹部４９が設けられている。
この上枠材４０は、図１に示すように、戸先側部位の壁厚方向両端部が壁体２の両壁面から突出するように配される。また、上枠材４０の戸尻側部位は、壁厚方向反袖壁側の端部が壁体２の壁面から突出するように配される一方、壁厚方向袖壁側の端部が袖壁５に当接して配される。また、上枠材４０は、壁厚方向両端面となる両見付面４５，４５及び下側に向く見込面４６が下地面とされている。また、本実施形態では、上記と概ね同様、この上枠材４０の壁面から突出するいわゆるちり部の上側に向くちり上側面４８，４８も表面仕上シート７の貼着が可能な易貼着性の下地面としている。なお、この上枠材４０の戸尻側部位の袖壁５に当接される壁厚方向袖壁側の見付面を下地面としないようにしてもよい。また、この上枠材４０のちり部の下縁部に、上記同様の面取部を設けた構成としてもよい。
【００２０】
また、この上枠材４０には、後記するレール部材５０を受け入れる凹溝４７が設けられている。この凹溝４７は、両側の各縦枠材１０，２０に設けられた戸じゃくり溝１７，２７と壁厚方向で一致する位置となるように、かつ上枠材４０の全長に亘って下向きに開口するように設けられている。図例では、凹溝４７の溝幅を、戸じゃくり溝１７，２７の溝底側の溝幅よりも小さくした例を示している。
この上枠材４０の下地面は、凹溝４７を除き、一連状の下地面とされている。
また、本実施形態では、この上枠材４０の長手方向の各端面に、両側の縦枠材１０，２０の上端部の見込面１６，２６がそれぞれに突き合わせられて接合される構成としている。これら上枠材４０と各縦枠材１０，２０，３０とは、釘やねじ等の止具によって接合されるものとしてもよい。また、これら上枠材４０及び各縦枠材１０，２０，３０の接合部に、ダボやダボ穴等の接合補助部を設けた構成としてもよい。
【００２１】
また、本実施形態では、各枠材１０，２０，３０，４０を、芯材１１，２１，３１，４１に下地面を構成する表面基材１２，２２，３２，４２をそれぞれに貼着した構成としている。
表面基材１２，２２，３２，４２は、薄板状の木質系基材１３，２３，３３，４３の表面に、下地面を構成する下地シート１４，２４，３４，４４をそれぞれに貼着した構成とされている。また、裏面側に芯材１１，２１，３１，４１の四周の角部（図例では、面取部や戸じゃくり溝１７，２７の角部を含む角部）に応じた折曲溝を設けた構成とされている。また、表面基材１２，２２，３２，４２は、折曲溝の部位において残存する少なくとも下地シート１４，２４，３４，４４の部位がヒンジ部（折曲部）のように機能し、これらの部位において折り曲げ可能とされている。また、図例では、各枠材１０，２０，３０，４０の芯材１１，２１，３１，４１の壁厚方向両端部の枠下地側に、表面基材１２，２２，３２，４２を受け入れる切欠状の凹段部を設けた例を示している。なお、中間縦枠材３０及び上枠材４０の表面基材３２，４２は、上記した取付溝３７や凹溝４７を挟むように貼着した態様としてもよく、または、これら表面基材３２，４２を貼着した後に取付溝３７や凹溝４７が形成されたものとしてもよい。
【００２２】
なお、各枠材１０，２０，３０，４０の芯材１１，２１，３１，４１は、木質系材料から形成されたものとしてもよい。木質系材料としては、合板やＬＶＬ（単板積層材）等の木質積層板、パーティクルボード等の木質ボード、インシュレーションボードやＭＤＦ（中密度繊維板）等の木質繊維板などとしてもよい。または、これら芯材１１，２１，３１，４１を、合成樹脂系材料に、木粉や無機フィラー、相溶化剤、着色剤などを所定の含有割合で含有させた木粉・プラスチック複合材（ＷＰＣ）から形成されたものとしてもよい。
また、各枠材１０，２０，３０，４０の表面基材１２，２２，３２，４２の裏面側層を構成する木質系基材１３，２３，３３，４３としては、上記同様の木質系材料から形成されたものとしてもよい。この木質系基材１３，２３，３３，４３は、例えば、１．０ｍｍ〜５．０ｍｍ程度の厚さ寸法とされたものとしてもよい。
【００２３】
また、表面基材１２，２２，３２，４２の表面側層を構成する下地シート１４，２４，３４，４４としては、その表面が、表面仕上シート７の貼着が可能で剥離し難いような易貼着性の表面物性（貼着手段による十分な貼着強度が得られる物性）を有したものとしてもよい。このような下地シート１４，２４，３４，４４としては、紙材や、紙材に貼着手段としての接着剤との親和性のある樹脂を含浸させたシート、貼着手段としての接着剤との親和性のある樹脂シート等としてもよい。また、下地シート１４，２４，３４，４４の表面が易貼着性の下地面となるように適宜の表面処理（表面研磨や、プライマー塗布、各種放電処理、光オゾン処理等）が施されたものとしてもよい。また、下地シート１４，２４，３４，４４は、例えば、５０μｍ〜１．０ｍｍ程度の厚さ寸法とされたものとしてもよい。
【００２４】
また、表面基材１２，２２，３２，４２としては、木質系基材１３，２３，３３，４３と下地面を構成する下地シート１４，２４，３４，４４とからなる二層構造とされたものに限られず、木質系基材１３，２３，３３，４３の裏面側や木質系基材１３，２３，３３，４３と下地シート１４，２４，３４，４４との間に他のシート材等を更に積層した構造とされたものとしてもよい。また、各枠材１０，２０，３０，４０の下地面１５，１６，１８，２５，２６，２８，３５，３６，３８，４５，４６，４８の色柄は、表面仕上シート７の表面意匠への影響がないように、白色や淡い色等としてもよく、また、単色や無地等としてもよい。また、各枠材１０，２０，３０，４０の下地面１５，１６，１８，２５，２６，２８，３５，３６，３８，４５，４６，４８に、表面仕上シート７を貼着する際に表面仕上シート７との間に入り込む空気を排出するための複数の溝を設けた構成としてもよい。
また、当該戸枠装置１に建て付けられる建具の種類や建て付け態様等に応じて、適宜、蝶番等の回動連結部材の取付凹所、ラッチ受や錠装置等を取り付けるための収納凹所や加工孔等を適宜、設けておくようにしてもよい。
また、各枠材１０，２０，３０，４０の下地面１５，１６，１８，２５，２６，２８，３５，３６，３８，４５，４６，４８を全面に亘って覆うように、剥離可能な剥離シート等の保護シートを貼着した構成としてもよい。
【００２５】
レール部材５０は、長手方向両端側が開口するように全長に亘ってガイド溝５１を設けた構成とされている。このレール部材５０は、全長に亘って一様な断面形状とされている。また、このレール部材５０の長さ寸法は、図２に示すように、上枠材４０の長さ寸法と概ね同長さとされている。本実施形態では、レール部材５０の長さ寸法を、長手方向両端にキャップ部材６０，６０が取り付けられたレール部材５０の両端が、上枠４０の長手方向両端に突き合わせられた両側の縦枠材１０，２０の戸じゃくり溝１７，２７に納められるような寸法としている。また、本実施形態では、レール部材５０を、１本のガイド溝５１が形成された単レールとしている。
また、本実施形態では、このレール部材５０を、図１及び図３に示すように、下向きに開口するようにガイド溝５１が設けられたものとし、上枠材４０の凹溝４７に取り付けられる構成としている。また、このレール部材５０を、その幅方向（レール幅方向）両側の下側部位に、幅方向外方側に向けて突出し上枠材４０の凹溝４７の両開口縁に当接される突段部５６，５６が形成されるように、ガイド溝５１の両内側壁の下側部位に凹段部５７，５７を設けた構成としている。図例では、レール部材５０の上下方向下側略半部に突段部５６，５６を形成するように、レール部材５０の下側略半部の外郭の幅寸法を上側略半部の外郭の幅寸法よりも大きくした例を示している。このレール部材５０の上側略半部の外郭の幅寸法は、上枠材４０の凹溝４７の溝幅寸法と略同寸法とされている。
【００２６】
また、レール部材５０は、ガイド溝５１の溝底を構成し上枠材４０の凹溝４７の溝底に当接される天壁部５３と、この天壁部５３の幅方向両端から垂れ下がるように連成されガイド溝５１の両内側壁を構成する両側壁部５５，５５と、を備えている。また、レール部材５０は、両側壁部５５，５５の下端部から幅方向中央側に向けて突出し、ガイド溝５１の下方に向く開口を区画する下片部５８，５８を備えている。
これら天壁部５３、両側壁部５５，５５及び両下片部５８，５８によって区画されたガイド溝５１に、引戸８の上端部に設けられたランナー８ａの転動部等が収容され、引戸８がガイド溝５１に沿って案内支持される。図例では、ランナー８ａを、壁厚方向に間隔を空けて設けられ、壁厚方向に沿う軸廻りに転動する転動部を設けた構成とし、これら壁厚方向両側の転動部が、レール部材５０の両下片部５８，５８上を転動する構成としている（図１（ｂ）参照）。
【００２７】
天壁部５３は、本実施形態では、幅方向両側部位に、上方に向けて開口するように凹溝５４，５４を全長に亘って設けた構成とされている。図例では、天壁部５３の幅方向中央部位の下面側に凹溝が形成されるように、その幅方向中央部位を上方側に向けて突出させ、その両側に凹溝５４，５４を設けた構成としている。また、天壁部５３の幅方向中央部位の下面側の凹溝を幅方向に区画するように二本のリブ状の突条を下方に向けて突出させるように設けた例を示している。
また、この天壁部５３の幅方向両側部位の下面側には、各側壁部５５，５５の上端部位とによって下方に向けて開口する凹溝を形成するように、リブ状の突条５３ａ，５３ａが下方に向けて突出するように設けられている。
なお、この天壁部５３の幅方向中央の下面側に、レール部材５０を上枠材４０に固定する釘やねじ等の止具の誘い（目印）となる細溝を全長に亘って設けるようにしてもよい。また、このような細溝に代えて、または加えて、天壁部５３に、止具の挿通孔を設けた構成としてもよい。
【００２８】
両側壁部５５，５５は、上側部位及び下側部位の厚さ寸法が略同寸法とされている。つまり、これら両側壁部５５，５５は、下側略半部に突段部５６，５６及び凹段部５７，５７が形成されるように、上下方向略中央部において幅方向（レール幅方向）外方側に屈曲されたような形状とされている。図例では、各側壁部５５，５５の下側部位を、それぞれの上側部位よりも厚さ寸法程度、幅方向外方側に向けて突出させた例を示している。これら側壁部５５，５５の突段部５６，５６の突出寸法は、上枠材４０の凹溝４７の両開口縁を見栄え良く納める観点等から、適宜の寸法としてもよい。図例では、当該レール部材５０の下側略半部の外郭の幅寸法を、戸じゃくり溝１７，２７の溝底側の溝幅と略同寸法とした例を示している。
【００２９】
両下片部５８，５８は、各側壁部５５，５５の凹段部５７，５７とによって、幅方向中央に向けて開口する凹溝を形成するように設けられている。また、これら下片部５８，５８の上面側には、各側壁部５５，５５の下端部位とによって上方に向けて開口する凹溝を形成するように、リブ状の突条５８ａ，５８ａが上方に向けて突出するように設けられている。これら突条５８ａ，５８ａは、天壁部５３に設けられた突条５３ａ，５３ａと上下方向に見て互いに重なり合う位置となるように、天壁部５３の各突条５３ａ，５３ａと対向状に設けられている。
また、図例では、これら下片部５８，５８の突条５８ａ，５８ａよりもレール幅方向中央側部位の上面側を、ランナー８ａの転動部に対応させた凹湾曲形状とした例を示している。
なお、このレール部材５０の天壁部５３、両側壁部５５，５５及び両下片部５８，５８は、上記した突条５３ａ，５３ａ，５８ａ，５８ａが形成された部位を除いて互いに略同厚さとされている。また、レール部材５０は、適宜の金属系材料や合成樹脂系材料から押出成形や鋳造成形または切削加工等によって一体的に成形されたものとしてもよい。
【００３０】
レール部材５０の長手方向両端部に取り付けられるキャップ部材６０，６０は、互いに同寸同形状とされ、同一部材とされている。なお、以下では、一方のキャップ部材６０を例にとって説明する。
このキャップ部材６０は、図１に示すように、当該キャップ部材６０が取り付けられたレール部材５０が上枠材４０に取り付けられた状態で、レール長手方向に見て、縦枠材１０の見込面１６のガイド溝５１と重なり合う部位（溝重合部位）１６ａを覆うように配される。なお、図１では、戸先側縦枠材１０側のキャップ部材６０を図示しているが、戸尻側縦枠材２０側のキャップ部材６０も同様、見込面２６の溝重合部位を覆うように配される（図２も参照）。
【００３１】
本実施形態では、キャップ部材６０を、図３に示すように、ガイド溝５１の長手方向の開口を閉塞するキャップ本体６１の周縁部にレール部材５０の長手方向端面５２に当接される当接部６２を設けた構成としている。また、このキャップ本体６１に、レール長手方向に沿って突出するようにガイド溝５１に嵌め入れられる突出部６３，６５，６５を設けた構成としている。また、本実施形態では、キャップ部材６０の突出部６５，６５を、少なくともガイド溝５１の両内側壁に沿うように設けた構成としている。
【００３２】
キャップ本体６１は、レール長手方向に厚さ方向を沿わせて配される薄板状とされている（図２も参照）。このキャップ本体６１の厚さ寸法は、数ｍｍ程度としてもよく、例えば、０．５ｍｍ〜３ｍｍ程度としてもよい。また、このキャップ本体６１の反レール部材側に向く面（突出部６３，６５，６５が設けられていない側の面）は、平坦面とされている。
また、このキャップ本体６１は、図１及び図３（ｃ）に示すように、厚さ方向（レール長手方向）に見て、レール部材５０の外郭形状に応じた形状とされている。つまり、キャップ本体６１は、下側略半部のレール幅方向に沿う寸法が上側略半部のレール幅方向に沿う寸法よりも大とされ、下側略半部のレール幅方向両側部位をレール幅方向外方側に向けて突出させたような略逆Ｔ字状の形状とされている。また、キャップ本体６１は、レール部材５０に取り付けられた状態では、レール長手方向に見て、レール部材５０の上面側の凹溝５４，５４の部位及び両下片部５８，５８間の開口の部位を除いて、レール部材５０の外郭形状内に納まるような形状とされている。
【００３３】
このキャップ本体６１の下端は、レール幅方向両側部位がレール部材５０の両下片部５８，５８の下面に応じた形状とされ、レール幅方向中央部位がこれら両下片部５８，５８の下面同士を接続するように水平面状とされている。
また、本実施形態では、このキャップ本体６１の上端を、レール部材５０の天壁部５３の幅方向両側部位の凹溝５４，５４間の突出部の上端に概ね一致させるようにかつ全体に亘って水平面状としている。つまり、レール部材５０の天壁部５３の凹溝５４，５４に応じた形状とせずに、キャップ本体６１の上端を水平面状としている。
上記のような構成により、このキャップ本体６１の周縁部の当接部６２は、レール部材５０の長手方向端面５２を略全体に亘って覆うように長手方向端面５２に当接される。
【００３４】
また、本実施形態では、このキャップ本体６１に、レール部材５０のガイド溝５１の内周面に沿うようにガイド溝５１に嵌め込まれる突出部として、上片部６３と両側片部６５，６５とを設けている。
上片部６３は、レール部材５０のガイド溝５１の溝底を構成する天壁部５３に沿うように配される。この上片部６３は、天壁部５３の下面側の形状に概ね沿う形状とされ、天壁部５３の幅方向中央部位の下面側の凹溝に嵌め入れられる係合突部をレール幅方向中央部位に設けた構成とされている。図例では、この係合突部の上面側に、天壁部５３の下面に擦るように当接される小突起を設けた例を示している。
また、この上片部６３は、レール幅方向両側端部に天壁部５３の幅方向両側部位の突条５３ａ，５３ａをそれぞれに受け入れるような凹段部を設けた構成とされている。
【００３５】
両側片部６５，６５は、レール部材５０のガイド溝５１の両内側壁を構成する両側壁部５５，５５に沿うように配される。これら両側片部６５，６５は、両側壁部５５，５５の内側面側の形状に概ね沿う形状とされ、これらの下側部位の凹段部５７，５７及び各下片部５８，５８によって形成された凹溝に係合する係合突部６６，６６を下側部位に設けた構成とされている。本実施形態では、これら両側片部６５，６５のレール幅方向外側面が両側壁部５５，５５の内側面に当接または近接対面される構成とされている。
また、これら両側片部６５，６５の上端部は、上片部６３のレール幅方向両側端部に接続されるように設けられ、上記した天壁部５３の各突条５３ａ，５３ａと各側壁部５５，５５の上端部位とによって形成された凹溝に係合する。また、これら両側片部６５，６５の上端部間のレール幅方向に沿う寸法は、天壁部５３の一方の突条５３ａのレール幅方向外側面から他方の突条５３ａのレール幅方向外側面までのレール幅方向に沿う寸法と略同寸法とされている。つまり、これら両側片部６５，６５の上端部が天壁部５３の各突条５３ａ，５３ａに当接されレール部材５０に対するキャップ部材６０のレール幅方向への移動が抑制される。
【００３６】
また、これら両側片部６５，６５の下端部は、上記した各下片部５８，５８の各突条５８ａ，５８ａと各側壁部５５，５５の下端部位とによって形成された凹溝に係合する。また、これら両側片部６５，６５の下端部間のレール幅方向に沿う寸法は、一方の下片部５８の突条５８ａのレール幅方向外側面から他方の下片部５８の突条５８ａのレール幅方向外側面までのレール幅方向に沿う寸法と略同寸法とされている。つまり、これら両側片部６５，６５の下端部が各下片部５８，５８の各突条５８ａ，５８ａに当接されレール部材５０に対するキャップ部材６０のレール幅方向への移動が抑制される。
【００３７】
また、本実施形態では、これら両側片部６５，６５のキャップ本体６１からの突出寸法を、上片部６３のキャップ本体６１からの突出寸法よりも大きい寸法としている。これら上片部６３及び両側片部６５，６５の突出寸法は、当該キャップ部材６０をレール部材５０に安定的に取付け可能なように、また、軽量化等を図る観点等から適宜、設定するようにしてもよい。
また、両側片部６５，６５の突出寸法を、後記する第２実施形態において説明するように、複数連レールとされたレール部材５０Ａに取り付けた状態における区画側壁部５５Ａとキャップ部材６０との隙間を斜め下側から見て見え難くするような寸法としてもよい。例えば、両側片部６５，６５の突出寸法を、３ｍｍ〜２０ｍｍ程度としてもよく、好ましくは、５ｍｍ〜１０ｍｍ程度としてもよい。
【００３８】
また、本実施形態では、キャップ本体６１に、レール部材５０の天壁部５３を突出部（上片部及び両側片部）６３，６５，６５とによって挟むように保持する係合片部６４，６４を設けている。本実施形態では、キャップ本体６１の上端部のレール幅方向両側部位のそれぞれに、レール長手方向に沿って突出するようにレール部材５０の天壁部５３の凹溝５４，５４に係合する係合片部６４，６４を設けた構成としている。
また、本実施形態では、キャップ本体６１の両側片部６５，６５の下端部間に架け渡すように、リブ状片部６７を設けた構成としている。このリブ状片部６７は、レール長手方向に沿って突出するように、かつレール幅方向に延びるように設けられている。また、図例では、リブ状片部６７のレール幅方向両端部がレール部材５０の両下片部５８，５８の突条５８ａ，５８ａに当接または近接される構成とした例を示している。
これら係合片部６４，６４及びリブ状片部６７の突出寸法は、上片部６３の突出寸法と同程度としてもよい。
【００３９】
なお、上記した例では、突出部を構成する上片部６３及び両側片部６５，６５を、レール部材５０の天壁部５３及び両側壁部５５，５５の厚さ方向に概ね厚さ方向を沿わせたような薄板状とした例を示しているが、このような態様に限られない。例えば、これら上片部６３及び両側片部６５，６５並びにリブ状片部６７の外周面を外郭形状として一体状に突出したような突出部としてもよく、その他、種々の変形が可能である。
また、キャップ部材６０は、適宜の金属系材料や合成樹脂系材料から押出成形や鋳造成形または切削加工等によって一体的に成形されたものとしてもよい。
また、このキャップ部材６０は、レール部材５０に取付けられて施工された状態で目立ち難くなるよう、レール部材５０と略同色または同系色とされたものとしてもよく、また、黒色等とされたものとしてもよい。
【００４０】
次に、本実施形態に係る戸枠装置１の施工手順（施工方法）の一例について説明する。
まず、上記のように、少なくとも施工された状態で露出する見付面４５，４５及び見込面４６が下地面とされた上枠材４０を、枠下地としての上枠下地４に固定する。また、少なくとも施工された状態で露出する見付面１５，１５，２５（２５Ａ）及び見込面１６，２６が下地面とされた両側の縦枠材１０，２０を、枠下地としての縦枠下地３，３に固定する。また、少なくとも施工された状態で露出する見付面３５，３５Ａ及び見込面３６が下地面とされた中間縦枠材３０を、枠下地としての縦枠下地６に固定する。これら各枠材１０，２０，３０，４０は、枠状に組み付けた状態で枠下地３，３，６，４に固定するようにしてもよく、または個別に枠下地３，３，６，４に固定するようにしてもよい。
【００４１】
また、ガイド溝５１の長手方向両側の開口がキャップ部材６０，６０によってそれぞれに閉塞されたレール部材５０を、上枠材４０に取り付ける。これら両側のキャップ部材６０，６０の取付は、上記した突出部６３，６５，６５を、レール部材５０のガイド溝５１に圧入するように嵌め入れるのみでレール部材５０に取り付けるようにしてもよく、または接着剤等によってレール部材５０に取り付けるようにしてもよい。また、キャップ部材６０，６０を取り付けたレール部材５０を、上枠材４０に取り付けた後に上枠材４０を施工する態様としてもよい。また、両側の縦枠材１０，２０に、上記のような戸じゃくり溝１７，２７が設けられ、図２（ａ）に示すように、上枠材４０の両端と戸じゃくり溝１７，２７との隙間が形成されるような場合には、適宜の隙間充填材を充填するようにしてもよい。
【００４２】
そして、上枠材４０及び両側の縦枠材１０，２０、並びに本実施形態では、中間縦枠材３０のそれぞれの施工された状態で露出する下地面に表面仕上シート７を貼着する。上枠材４０には、図１（ｂ）に示すように、レール部材５０によって見込方向に分断されたそれぞれの見込面４６，４６、見付面４５，４５及びちり上側面４８，４８に一連状に表面仕上シート７，７を貼着するようにしてもよい。また、中間縦枠材３０には、図２（ｂ）に示すように、モヘア部材３９によって分断された一方の見付面３５Ａ及び一方のちり外側面３８、並びに一方の見付面３５Ａ、見込面３６、他方の見付面３５及び他方のちり外側面３８のそれぞれに、一連状に表面仕上シート７，７を貼着するようにしてもよい。
【００４３】
また、戸先側縦枠材１０には、図２（ｂ）に示すように、両ちり外側面１８，１８、両見付面１５，１５及び見込面１６に一連状に表面仕上シート７を貼着するようにしてもよい。この際、見込面１６には、レール長手方向に見て、溝重合部位１６ａを含むレール部材５０（キャップ部材６０）と重なり合う部位を除くように表面仕上シート７を貼着するようにしてもよい。つまりは、レール部材５０（キャップ部材６０）の凹溝４７から露出した部位（下側略半部）の外周を囲むように、戸先側縦枠材１０の見込面１６に表面仕上シート７を貼着するようにしてもよい。また、戸尻側縦枠材２０にも概ね同様、一方のちり外側面２８、一方の見付面２５及び見込面２６に一連状に表面仕上シート７を貼着するようにしてもよい。また、見込面２６には、レール部材５０（キャップ部材６０）の凹溝４７から露出した部位（下側略半部）の外周を囲むように表面仕上シート７を貼着するようにしてもよい。
戸枠装置１は、上記のように表面仕上シート７が貼着されて表面仕上済戸枠装置９となる。
なお、各枠材１０，２０，３０，４０の下地面への表面仕上シート７の貼着は、引戸８を建て付けた状態で行うようにしてもよく、または、引戸８が建て付けられていない状態で行うようにしてもよい。また、上記施工手順は一例に過ぎず、各部材の機能を阻害しない限りにおいて別手順で行うようにしてもよい。
【００４４】
本実施形態に係る戸枠装置１、これのキャップ部材６０及び戸枠装置の施工方法は、上述のような構成としたことで、表面意匠の選択自由度を向上させることができる。
つまり、上枠材４０及び両側の縦枠材１０，２０、並びに本実施形態では、中間縦枠材３０のそれぞれの少なくとも施工された状態で露出する面を、表面仕上シート７の貼着が可能な易貼着性の下地面としている。従って、他の内装材や内装設備等の表面意匠と色柄等を合わせた表面仕上シート７を選択したり、内装の仕上げ段階の際や部分リフォームの際等に、他の内装部位との調和性を見るなどして表面仕上シート７を選択したりすることができる。そして、その選択した表面仕上シート７を、各枠材１０，２０，３０，４０の下地面に容易に貼着することができ、表面意匠の選択自由度を向上させることができる。
【００４５】
また、レール部材５０のガイド溝５１の長手方向両側の開口をそれぞれに閉塞するようにこのレール部材５０に取り付けられるキャップ部材６０，６０を備えた構成としている。従って、上枠材４０にレール部材５０を取り付けた状態で、表面仕上シート７を各枠材１０，２０，３０，４０の下地面に見栄え良く貼着することができる。つまり、レール部材５０を含む戸枠装置１の取付工程と表面仕上シート７の貼着工程とは、異なる作業者によってなされることが想定される。このような施工効率性の観点や、両側の縦枠材１０，２０の下地面（特に見込面１６，２６）に貼着された表面仕上シート７の傷付きや剥がれ等を抑制する観点からも、上枠材４０にレール部材５０を取り付けた状態で、表面仕上シート７を貼着することが好ましい。一方、このように上枠材４０にレール部材５０を取り付けた状態では、レール部材５０の長手方向両端部が両側の縦枠材１０，２０の見込面１６，２６に突き合わせられることとなる。この状態では、上記した縦枠材１０，２０の見込面１６，２６の溝重合部位１６ａに、表面仕上シート７を貼着し難くなったり、溝重合部位１６ａに表面仕上シート７を貼着しない場合には、溝重合部位１６ａにおいて下地面が露出した状態となることが考えられる。
【００４６】
本実施形態によれば、上記のようなキャップ部材６０，６０をレール部材５０の長手方向両端に取り付けることができるので、キャップ部材６０，６０によって縦枠材１０，２０の見込面１６，２６の溝重合部位１６ａを目立ち難くすることができる。換言すれば、縦枠材１０，２０の見込面１６，２６の溝重合部位１６ａに、表面仕上シート７を貼着せずとも溝重合部位１６ａにおける下地面の露出を抑制することができ、表面仕上シート７の貼着作業性及び見栄えを向上させることができる。
また、このようなキャップ部材６０，６０を設けることで、例えば、レール部材５０自体の形状を、長手方向両端部を封止するような形状としたようなものと比べて、汎用性を向上させることができる。つまり、長尺なレール部材５０の長さを、間口寸法に応じた長さに切断等によって調整することができ、汎用性を向上させることができる。
【００４７】
また、上記のようなキャップ部材６０，６０を設けたことで、本実施形態のような施工方法とすることができ、施工効率を向上させることができる。つまり、上述のように、レール部材５０を上枠材４０に取り付けた状態で、上枠材４０及び両側の縦枠材１０，２０の下地面に表面仕上シート７を貼着することができる。これにより、例えば、上枠材４０及び縦枠材１０，２０に表面仕上シート７を貼着した後に、上枠材４０にレール部材５０を取り付ける施工方法とした場合と比べて、施工効率を向上させることができ、また、両側の縦枠材１０，２０に貼着された表面仕上シート７の傷付き等を抑制することができる。
【００４８】
また、本実施形態では、キャップ部材６０を、キャップ本体６１の周縁部にレール部材５０の長手方向端面５２に当接される当接部６２を設けた構成とし、このキャップ本体６１に、ガイド溝５１に嵌め入れられる突出部６３，６５，６５を設けた構成としている。従って、キャップ部材６０の突出部６３，６５，６５をレール部材５０のガイド溝５１に嵌め入れ、キャップ部材６０の当接部６２をレール部材５０の長手方向端面５２に当接させることで、レール部材５０に対するキャップ部材６０の位置決めを容易に行うことができる。これにより、キャップ部材６０をレール部材５０に容易に取り付けることができる。
【００４９】
また、本実施形態では、レール部材５０の幅方向両側の下側部位に、幅方向外方側に向けて突出し上枠材４０の凹溝４７の両開口縁に当接される突段部５６，５６を設けている。従って、上枠材４０の凹溝４７の両開口縁を見栄え良く納めることができ、また、上枠材４０に対するレール部材５０の位置決めを容易に行うこともできる。
また、レール部材５０のガイド溝５１の両内側壁の下側部位に凹段部５７，５７を設けた構成とし、キャップ部材６０の突出部（両側片部）６５，６５を、少なくともガイド溝５１の両内側壁に沿うように設けている。従って、キャップ部材６０をレール部材５０に安定的に取り付けることができる。
【００５０】
次に、本発明に係る他の実施形態について、図面を参照しながら説明する。
図４及び図５は、第２実施形態に係る戸枠装置及び戸枠装置の施工方法の一例を模式的に示す図である。
なお、上記第１実施形態との相違点について主に説明し、同様の構成については、同一の符号を付し、その説明を省略または簡略に説明する。
【００５１】
本実施形態に係る戸枠装置１Ａは、図４に示すように、複数枚の建具としての引戸８，８が建て付けられる構成とされ、レール部材５０Ａに複数本のガイド溝５１Ａ，５１Ａを設けた点が上記第１実施形態とは主に異なる。本実施形態では、この戸枠装置１Ａを、二枚の引戸８，８が引き違い状に建て付けられる構成としている。つまり、レール部材５０Ａを、二本のガイド溝５１Ａ，５１Ａが並列状に設けられた二連レールとしている。これらガイド溝５１Ａ，５１Ａのそれぞれの長手方向両側の開口をそれぞれに閉塞するように、上記同様のキャップ部材６０，６０，６０，６０が取り付けられる。
また、本実施形態では、戸枠装置１Ａは、上記のような中間縦枠材３０を備えておらず、上枠材４０Ａと両側の縦枠材１０Ａとを備えた構成とされている。なお、図示は省略しているが、上枠材４０Ａは、全長に亘って同幅とされている。また、図例では、一方の縦枠材１０Ａのみを例示しているが、他方の縦枠材も一方の縦枠材１０Ａと同様の構成とされている。これら両側の縦枠材１０Ａは、上記した戸先側縦枠材１０と概ね同様の構成とされている。図例では、戸じゃくり溝１７の開口側の溝幅が、レール部材５０Ａの下側略半部の外郭の幅寸法を１／２にした寸法よりも小さくなるように、戸じゃくり溝１７の溝幅を、上記よりも小さくした例を示している。
【００５２】
レール部材５０Ａは、概ね上記第１実施形態において説明したレール部材５０をレール幅方向に接合したような構成とされているが、天壁部５３Ａ及び隣り合うガイド溝５１Ａ，５１Ａを区画する区画側壁部５５Ａの構成が上記第１実施形態とは主に異なる。
天壁部５３Ａは、レール幅方向両側部位のそれぞれに上記同様の凹溝５４，５４を設け、これら凹溝５４，５４のレール幅方向中央側のそれぞれに上記同様の下面側に凹溝が形成されるように上方に向けて突出する突出部を設けた構成とされている。これら両側の突出部の下面側に、上記した細溝等を設けてもよい。また、これら両側の突出部の間に、図５（ａ）に示すように、レール部材５０Ａの各ガイド溝５１Ａ，５１Ａに取り付けられた隣り合うキャップ部材６０，６０の係合片部６４，６４が係合する単一の凹溝５４Ａを設けた構成としている。つまり、天壁部５３Ａのレール幅方向中央部位に単一の凹溝５４Ａを設けた構成としている。
【００５３】
また、このレール部材５０Ａの幅方向外方側の両側壁部５５，５５は、上記同様、突段部６６，６６をそれぞれに設けた構成とされている。つまり、このレール部材５０Ａは、その幅方向（レール幅方向）両側の下側部位に、幅方向外方側に向けて突出し上枠材４０Ａの凹溝４７Ａの両開口縁に当接される突段部５６，５６を設けた構成としている。上枠材４０Ａの凹溝４７Ａは、このレール部材５０Ａの上側部位（上側略半部）の外郭の幅寸法に応じた溝幅とされている。
また、本実施形態では、このレール部材５０Ａの区画側壁部５５Ａを、幅方向外方側の両側壁部５５，５５とは異なり、レール幅方向に厚さ方向を沿わせた平板状としている。つまり、区画側壁部５５Ａは、厚さ方向両面が平坦面状とされている。
【００５４】
また、本実施形態では、これら各側壁部５５，５５及び区画側壁部５５Ａによって幅方向両側が区画されるガイド溝５１Ａ，５１Ａの溝幅を、上記第１実施形態において説明したレール部材５０のガイド溝５１の溝幅よりも僅かに大きい溝幅としている。つまり、図４に示すように、キャップ部材６０を取り付けた状態で、キャップ部材６０の両側片部６５，６５とガイド溝５１Ａの両側の内側壁を構成する側壁部５５及び区画側壁部５５Ａとの間に隙間が形成される構成としている。また、本実施形態では、キャップ部材６０，６０を、各ガイド溝５１Ａ，５１Ａに取り付けた状態では、図５に示すように、レール部材５０Ａの長手方向端面５２Ａの幅方向外方側の両側壁部５５，５５の一部が露出する構成とされている。なお、このような態様に代えて、各ガイド溝５１Ａ，５１Ａの少なくとも下側部位の溝幅を、上記第１実施形態と同様な溝幅としてもよい。
また、本実施形態では、このレール部材５０Ａの長さ寸法を、長手方向両端にキャップ部材６０，６０，６０，６０が取り付けられた状態で、上枠材４０Ａの長さ寸法と同長さとなるような寸法としている。
【００５５】
また、キャップ部材６０，６０を、各ガイド溝５１Ａ，５１Ａに取り付けた状態では、図４及び図５（ａ）に示すように、隣り合うキャップ部材６０，６０の下側部位同士が当接または近接し、隣り合うキャップ部材６０，６０の上側部位同士の間に隙間が形成される。つまり、キャップ部材６０は、上記したレール部材５０の形状に対応させて略逆Ｔ字状の形状とされているため、キャップ部材６０，６０を複数連レールとされたレール部材５０Ａの各ガイド溝５１Ａ，５１Ａに取り付ければ、上側部位同士の間に隙間が形成される。
また、キャップ部材６０，６０の上側部位同士の間において露出するレール部材５０Ａの長手方向端面５２Ａの区画側壁部５５Ａの上側部位の両側と各キャップ部材６０，６０の上側部位との間にも隙間が形成される。この区画側壁部５５Ａの両側の隙間が斜め下側から見て目立ち難くなるように、上記した側片部６５，６５を設けるようにしてもよい（図３（ｂ）も参照）。このような構成とすれば、単レールとされたレール部材５０に取り付けられるキャップ部材６０を、複数連レールのレール部材５０Ａに取り付け可能でありながらも、区画側壁部５５Ａを平坦面状で薄くすることができる。また、区画側壁部５５Ａを薄くした場合にもその両側に形成される隙間を、キャップ部材６０，６０の側片部６５，６５によって目立ち難くすることができる。
【００５６】
上記構成とされた戸枠装置１Ａも、上記第１実施形態と概ね同様にして施工し、上記同様にして表面仕上シート７を貼着して表面仕上済戸枠装置９Ａとしてもよい。また、縦枠材１０Ａの見込面１６には、上記同様、レール長手方向に見て、溝重合部位１６Ａａ，１６Ａａを含むレール部材５０Ａと重なり合う部位を除くように表面仕上シート７を貼着するようにしてもよい。つまりは、レール部材５０Ａの凹溝４７Ａから露出した部位（下側略半部）の外周を囲むように、縦枠材１０Ａの見込面１６に表面仕上シート７を貼着するようにしてもよい。また、縦枠材１０Ａの壁厚方向一方側に戸じゃくり溝１７が設けられ、この戸じゃくり溝１７に突き合わせられるキャップ部材６０との間に隙間が形成される場合には、適宜の隙間充填材を充填するようにしてもよい。または、このような隙間を充填する部位をキャップ部材６０に設けたり、キャップ部材６０自体を戸じゃくり溝１７に嵌り合うような形状としてもよい。
本実施形態に係る戸枠装置１Ａにおいても、上記した第１実施形態と略同様の効果を奏する。
なお、上記のように、単レールとされたレール部材５０に取り付けられるキャップ部材６０を、複数連レールのレール部材５０Ａに取り付け可能とした態様に代えて、複数連レールのレール部材５０Ａ専用のキャップ部材を設けた構成としてもよい。
【００５７】
また、上記各実施形態では、キャップ部材６０のキャップ本体６１に、上片部６３、係合片部６４，６４、両側片部６５，６５及びリブ状片部６７を設けた構成としているが、これらのうちのいずれかを設けないようにしてもよい。また、例えば、キャップ部材６０のキャップ本体６１に、両側片部６５，６５のみを設けた構成としてもよい。または、このようなガイド溝５１，５１Ａに嵌め入れられる突出部を設けた態様に代えて、つまりは、キャップ本体６１のみからなるキャップ部材６０としてもよい。さらには、キャップ部材６０のキャップ本体６１の周縁部に、レール部材５０，５０Ａの長手方向端面５２，５２Ａに当接される当接部６２を設けた構成としているが、このような態様に限られない。例えば、キャップ部材６０を、その全体がガイド溝５１，５１Ａに嵌め入れられるように取り付けられる構成としてもよい。
【００５８】
また、レール部材５０，５０Ａの構成も上記した態様に限られず、種々の変形が可能であり、例えば、上側部位と下側部位とが同幅とされたものとしてもよい。この場合、上枠材４０，４０Ａに、レール部材５０，５０Ａの概ね全体が収容される凹溝４７，４７Ａを設けた構成としてもよい。また、上枠材４０，４０Ａに、レール部材５０，５０Ａを受け入れる凹溝４７，４７Ａを設けた態様に限られず、例えば、このような凹溝４７，４７Ａを設けずに、上枠材４０，４０Ａの下面に、レール部材５０，５０Ａが固定される構成としてもよい。
また、レール部材５０，５０Ａを、下向きに開口するガイド溝５１，５１Ａを設けた構成とした態様に代えて、レール幅方向一方側に開口するガイド溝を設けたような構成等としてもよい。このようにレール部材５０，５０Ａを変形した場合には、適宜、必要に応じて、キャップ部材６０を変形するようにしてもよい。
【００５９】
また、戸枠装置１，１Ａとしては、上記のような１枚の引戸８が袖壁納めで建て付けられる構成とされたものや複数枚の引戸８，８が引き違い状に建て付けられる構成とされたものに限られない。例えば、戸枠装置１，１Ａとしては、１枚または複数枚の引戸が戸袋納めで建て付けられるものや、複数枚の引戸が袖壁納めや引き分け状に建て付けられるもの、さらには、折戸が建て付けられるものとしてもよい。この場合は、戸枠装置１，１Ａを構成する各枠材やレール部材等を、適宜、必要に応じて変形するようにしてもよい。
【符号の説明】
【００６０】
１，１Ａ      戸枠装置
１０          戸先側縦枠材（縦枠材）
１０Ａ        縦枠材
１５          見付面（下地面）
１６          見込面（下地面）
２０          戸尻側縦枠材（縦枠材）
２５          見付面（下地面）
２６          見込面（下地面）
４０，４０Ａ  上枠材
４５          見付面（下地面）
４６          見込面（下地面）
４７，４７Ａ  凹溝
５０，５０Ａ  レール部材
５１，５１Ａ  ガイド溝
５２，５２Ａ  長手方向端面
５６          突段部
５７          凹段部
６０          キャップ部材
６１          キャップ本体
６２          当接部
６３          上片部（突出部）
６５          側片部（突出部）
３            縦枠下地（枠下地）
４            上枠下地（枠下地）
７            表面仕上シート
【図１】
0006379016.tif 000002
【図２】
0006379016.tif 000003
【図３】
0006379016.tif 000004
【図４】
0006379016.tif 000005
【図５】
0006379016.tif 000006